(57)【要約】【課題】内部空間の減圧をスムーズに行うことが可能なパッケージ、このパッケージを備えた振動デバイス及び電子機器の提供。【解決手段】水晶振動子１のパッケージ２０は、内部空間Ｓと外部空間とを連通する貫通孔２８ｃが底面２８ｂに設けられた凹部２８ａと、凹部２８ａ内に載置され、加熱溶融されることで貫通孔２８ｃを封止する球状の封止材２８ｄと、を備え、貫通孔２８ｃは、平面視で円形に形成され、凹部２８ａの底面２８ｂには、平面視で貫通孔２８ｃの一部から凹部２８ａの外周に向かって延びる有底の溝部２８ｅが設けられている。【選択図】図１
2013153038.tif 000002
【特許請求の範囲】
【請求項１】
内部空間と外部空間とを連通する貫通孔が底面に設けられた凹部を備え、
前記貫通孔は、平面視で円形に形成され、
前記凹部の前記底面には、平面視で前記貫通孔の一部から前記凹部の外周に向かって延びる有底の溝部が設けられていることを特徴とするパッケージ。
【請求項２】
請求項１に記載のパッケージにおいて、
前記有底の溝部は、前記貫通孔に近づくに連れて溝深さが深くなるように形成されていることを特徴とするパッケージ。
【請求項３】
請求項１または請求項２に記載のパッケージにおいて、
前記有底の溝部は、前記貫通孔に近づくに連れて溝幅が広くなるように形成されていることを特徴とするパッケージ。
【請求項４】
請求項１ないし請求項３のいずれか一項に記載のパッケージにおいて、
前記有底の溝部は、複数設けられていることを特徴とするパッケージ。
【請求項５】
請求項１ないし請求項４のいずれか一項に記載のパッケージにおいて、
前記内部空間にワイヤー状配線が配置され、
前記貫通孔は、平面視で前記ワイヤー状配線と重ならない位置に設けられていることを特徴とするパッケージ。
【請求項６】
請求項１ないし請求項５のいずれか一項に記載のパッケージと、
前記パッケージの前記内部空間に収納された振動片と、
を備え、前記貫通孔を封止材で封止したことを特徴とする振動デバイス。
【請求項７】
請求項６に記載の振動デバイスにおいて、
前記振動片を駆動する発振回路を更に備えたことを特徴とする振動デバイス。
【請求項８】
請求項６または請求項７に記載の振動デバイスを備えたことを特徴とする電子機器。
【発明の詳細な説明】
【技術分野】
【０００１】
本発明は、パッケージ、このパッケージを備えた振動デバイス及び電子機器に関する。
【背景技術】
【０００２】
従来、圧電振動子などに代表される振動デバイスの内部空間を封止する封止部分の構成としては、パッケージの内側（内部空間側）に開口部を有する小径の第１貫通孔と、パッケージの外側（外部空間側）に開口部を有する大径の第２貫通孔とからなる段孔に、第１貫通孔の孔径よりも大きい球状の封止材を載置し、溶融させて第１貫通孔を封止する構成が知られている（例えば、特許文献１参照）。
また、上記第１貫通孔に相当する封止孔の形状を、平面視で楕円形にした構成が知られている（例えば、特許文献２参照）。
また、上記第１貫通孔に相当する貫通孔を、パッケージ内部（内部空間）側の開口部の面積よりもパッケージ外部（外部空間）側の開口部の面積の方が大きくなるように、複数の斜面を用いて略角錐状に形成した構成が知られている（例えば、特許文献３参照）。
【先行技術文献】
【特許文献】
【０００３】
【特許文献１】特開２００５−２２３６１２号公報
【特許文献２】特開２００４−２７４６５７号公報
【特許文献３】特開２００５−６４０２４号公報
【発明の概要】
【発明が解決しようとする課題】
【０００４】
特許文献１の構成では、段孔に球状の封止材を載置した状態で、パッケージの内部空間を減圧する（真空ポンプなどを用いた吸引により真空度の高い状態にする）際に、封止材が第１貫通孔に嵌まり込んでしまい、通気が不十分となることでスムーズに減圧できない虞や、嵌まり込んだ封止材が、減圧の勢いで段孔から飛び出す虞がある。
【０００５】
この問題の対策としては、例えば、特許文献２のように、封止孔（貫通孔）の形状を平面視で楕円形にして、球状の封止材が貫通孔に嵌まり込んでも、平面視で長軸方向が封止材からはみ出た楕円形の貫通孔と、球状の封止材との間に生じる隙間により、パッケージの内部空間と外部（外部空間）との通気が可能な構成が考えられる。
【０００６】
しかしながら、特許文献２の構成では、例えば、封止材をレーザービームや電子ビームの照射により溶融させる際の、レーザービームや電子ビームの照射範囲が封止材の大きさよりも広いことにより、封止材と貫通孔との隙間から、内部に収納されている振動片などの素子にレーザービームや電子ビームが照射されてしまう虞がある。
【０００７】
上記特許文献２の問題が生じない別の対策としては、例えば、特許文献３のように、貫通孔をパッケージ内部側の開口部の面積よりもパッケージ外部側の開口部の面積の方が大きくなるように、複数の斜面を用いて略角錐状に形成する構成が考えられる。
この特許文献３の構成によれば、略角錐状の貫通孔と貫通孔に載置された球状の封止材との間に隙間が生じることから、平面視で貫通孔からパッケージ内部を露出させることなく、パッケージの内部空間と外部空間との通気が可能となる。
【０００８】
しかしながら、特許文献３の構成では、略角錐状の貫通孔を構成する複数の斜面の加工に工数が掛かる虞や、斜面の傾斜の度合いによっては、貫通孔のパッケージの内部空間側の先端部分が鋭利な形状となり、容易に破損する虞があるなど、対策としては改善の余地がある。
【課題を解決するための手段】
【０００９】
本発明は、上記課題の少なくとも一部を解決するためになされたものであり、以下の形態または適用例として実現することが可能である。
【００１０】
［適用例１］本適用例にかかるパッケージは、内部空間と外部空間とを連通する貫通孔が底面に設けられた凹部を備え、前記貫通孔は、平面視で円形に形成され、前記凹部の前記底面には、平面視で前記貫通孔の一部から前記凹部の外周に向かって延びる有底の溝部が設けられていることを特徴とする。
【００１１】
これによれば、パッケージは、円形の貫通孔が設けられた凹部を備え、凹部の底面には、貫通孔の一部から凹部の外周に向かって延びる有底の溝部が設けられている。
これにより、パッケージは、例えば、球状の封止材が貫通孔に嵌まり込んだ場合でも、有底の溝部を介して、パッケージの内部空間と外部空間とを通気することができる。
この結果、パッケージは、内部空間の減圧をスムーズに行うことができると共に、封止材が凹部から飛び出すことを回避できる。
この際、パッケージは、内部空間の貫通孔周辺部分が、平面視で、有底の溝部を含んで遮蔽されていることから、特許文献２のような問題（封止材と貫通孔との隙間から、内部空間に収納されている振動片などの素子にレーザービームや電子ビームが照射されてしまう虞）を回避できる。
加えて、パッケージは、封止部分の構造が、円形の貫通孔の周囲に有底の溝部を設ける単純な構成であることから、特許文献３のような問題（略角錐状の貫通孔を構成する複数の斜面の加工に工数が掛かる虞や、貫通孔のパッケージの内部空間側の先端部分が鋭利な形状となり、容易に破損する虞）を回避できる。
【００１２】
［適用例２］上記適用例にかかるパッケージにおいて、前記有底の溝部は、前記貫通孔に近づくに連れて溝深さが深くなるように形成されていることが好ましい。
【００１３】
これによれば、パッケージは、有底の溝部が貫通孔に近づくに連れて溝深さが深くなるように形成されていることから、有底の溝部における貫通孔との接続部分の開口面積を、有底の溝部の溝深さが一定の場合よりも周囲の強度を落とすことなく大きくすることができる。
これにより、パッケージは、内部空間と外部空間とを更にスムーズに通気することができる。
【００１４】
［適用例３］上記適用例にかかるパッケージにおいて、前記有底の溝部は、前記貫通孔に近づくに連れて溝幅が広くなるように形成されていることが好ましい。
【００１５】
これによれば、パッケージは、有底の溝部が貫通孔に近づくに連れて溝幅が広くなるように形成されていることから、有底の溝部における貫通孔との接続部分の開口面積を、有底の溝部の溝幅が一定の場合よりも周囲の強度を落とすことなく大きくすることができる。
これにより、パッケージは、内部空間と外部空間とを更にスムーズに通気することができる。
【００１６】
［適用例４］上記適用例にかかるパッケージにおいて、前記有底の溝部は、複数設けられていることが好ましい。
【００１７】
これによれば、パッケージは、有底の溝部が複数設けられていることから、有底の溝部における貫通孔との接続部分の総開口面積を、有底の溝部が１箇所の場合よりも大きくすることができる。
これにより、パッケージは、内部空間と外部空間とを更にスムーズに通気することができる。
【００１８】
［適用例５］上記適用例にかかるパッケージにおいて、前記内部空間にワイヤー状配線が配置され、前記貫通孔は、平面視で前記ワイヤー状配線と重ならない位置に設けられていることが好ましい。
【００１９】
これによれば、パッケージは、内部空間にワイヤー状配線が配置され、平面視でワイヤー状配線と重ならない位置に貫通孔が設けられている。換言すれば、パッケージは、ワイヤー状配線が、貫通孔から離れた位置に配置されていることから、例えば、内部空間を真空引きにより減圧する際に、吸引によるワイヤー状配線の接続部からの分離を回避できる。より具体的には、例えば、内部空間に収納されたＩＣチップの接続パッドと、パッケージの内部接続端子とに接続されたワイヤー状配線としての金属ワイヤーの、接続パッド及び内部接続端子からの分離を回避できる。
【００２０】
［適用例６］本適用例にかかる振動デバイスは、上記適用例のいずれかに記載のパッケージと、前記パッケージの前記内部空間に収納された振動片と、を備え、前記貫通孔を封止材で封止したことを特徴とする。
【００２１】
これによれば、本構成の振動デバイスは、上記適用例のいずれかに記載のパッケージと、パッケージの内部空間に収納された振動片と、を備え、前記貫通孔を封止材で封止したことから、上記適用例のいずれかに記載の効果が反映された振動デバイスを提供することができる。
【００２２】
［適用例７］上記適用例にかかる振動デバイスにおいて、前記振動片を駆動する発振回路を更に備えたことが好ましい。
【００２３】
これによれば、振動デバイスは、振動片を駆動する発振回路を更に備えたことから、上記適用例のいずれかに記載の効果が反映された振動デバイスとしての発振器を提供することができる。
【００２４】
［適用例８］本適用例にかかる電子機器は、上記適用例のいずれかに記載の振動デバイスを備えたことを特徴とする。
【００２５】
これによれば、本構成の電子機器は、上記適用例のいずれかに記載の振動デバイスを備えたことから、上記適用例のいずれかに記載の効果が反映された電子機器を提供することができる。
【図面の簡単な説明】
【００２６】
【図１】第１実施形態の水晶振動子の概略構成を示す模式図であり、（ａ）は蓋体側から見た模式平面図、（ｂ）は（ａ）のＡ−Ａ線での模式断面図、（ｃ）は底面側から見た模式平面図。
【図２】図１（ｂ）のＢ部の上下反転模式拡大図。
【図３】有底の溝部のバリエーションを示す模式図であり、（ａ）はバリエーションの一例を示す模式平面図、（ｂ）はバリエーションの他の一例を示す模式断面図、（ｃ）はバリエーションの別の一例を示す模式平面図。
【図４】第２実施形態の水晶発振器の概略構成を示す模式図であり、（ａ）は蓋体側から見た模式平面図、（ｂ）は（ａ）のＡ−Ａ線での模式断面図、（ｃ）は底面側から見た模式平面図。
【図５】第３実施形態の携帯電話を示す模式斜視図。
【発明を実施するための形態】
【００２７】
以下、本発明を具体化した実施形態について図面を参照して説明する。
【００２８】
（第１実施形態）
最初に、パッケージと、パッケージの内部空間に収納された振動片と、を備えた振動デバイスの一例としての水晶振動子について説明する。
図１は、第１実施形態の水晶振動子の概略構成を示す模式図である。図１（ａ）は、蓋体側から見た模式平面図であり、図１（ｂ）は、図１（ａ）のＡ−Ａ線での模式断面図であり、図１（ｃ）は、底面側から見た模式平面図である。図２は、図１（ｂ）のＢ部の上下反転模式拡大図である。なお、図１（ａ）では、蓋体を省略してある。また、以下の各図において、分かり易くするために、各構成要素の寸法比率は実際と異なる。
【００２９】
図１、図２に示すように、第１実施形態の水晶振動子１は、振動片としての水晶振動片１０と、水晶振動片１０が内部空間Ｓに収納されたパッケージ２０と、を備えている。
【００３０】
水晶振動片１０は、例えば、圧電材料である水晶の原石などから所定の角度で切り出された音叉型水晶振動片であって、屈曲振動を発振する一対の振動腕１１，１２と、一対の振動腕１１，１２を互いに繋ぐ基部１３とにより平面視で略音叉形状に形成されている。
水晶振動片１０は、一対の振動腕１１，１２に図示しない励振電極が形成され、この励振電極から引き出された引き出し電極１４，１５が、基部１３の端部に形成されている。
引き出し電極１４，１５は、水晶振動片１０の基部１３の両主面１６，１７に形成されている。励振電極及び引き出し電極１４，１５は、例えば、Ｃｒ（クロム）を下地層とし、その上にＡｕ（金）が積層された構成の金属被膜となっている。
【００３１】
パッケージ２０は、平面形状が略矩形で凹部２４を備えたベース部２１と、凹部２４（水晶振動片１０）を覆いベース部２１に接合（固定）される平板状の蓋体２２と、を備え、略直方体形状に構成されている。パッケージ２０は、ベース部２１の凹部２４を、後述する接合部材２９を介して蓋体２２で気密に覆うことにより、内部空間Ｓが形成されている。
ベース部２１には、セラミックグリーンシートを成形して積層し焼成した酸化アルミニウム質焼結体、ムライト質焼結体、窒化アルミニウム質焼結体、炭化珪素質焼結体、ガラスセラミックス焼結体などのセラミックス系の絶縁性材料や、水晶、ガラスなどの絶縁性材料が用いられている。
蓋体２２には、コバール、４２アロイ、ステンレス鋼などの金属、またはベース部２１と同材料の絶縁性材料が用いられている。
【００３２】
ベース部２１の凹部２４の底面（ベース部２１の内部空間Ｓ側の底面）２４ａには、水晶振動片１０の引き出し電極１４，１５に対向する位置に、略矩形形状の内部端子２３ａ，２３ｂが設けられている。
水晶振動片１０は、金属フィラーなどの導電性物質が混合された、エポキシ系、シリコーン系、ポリイミド系などの導電性接着剤３０を介して、引き出し電極１４，１５が内部端子２３ａ，２３ｂに接合（固定）されている。
【００３３】
ベース部２１の凹部２４の反対側の底面（ベース部２１の外部空間側の底面）２５には、一対の略矩形形状の外部端子２６，２７が設けられている。
内部端子２３ａ，２３ｂは、図示しない内部配線によって外部端子２６，２７と電気的に接続されている。例えば、内部端子２３ａは、外部端子２６と接続され、内部端子２３ｂは、外部端子２７と接続されている。
内部端子２３ａ，２３ｂ、外部端子２６，２７は、Ｗ（タングステン）、Ｍｏ（モリブデン）、Ｍｎ（マンガン）などの金属粉末に有機バインダー、溶剤を添加混合して得た金属ペーストを、例えば、スクリーン印刷法を用いて印刷（塗布）後、加熱処理することによって形成されたメタライズ層の表面に、Ｎｉ（ニッケル）、Ａｕ（金）などの各被膜がメッキ法などにより積層されている。
【００３４】
ベース部２１には、内部空間Ｓを減圧し、気密に封止するための封止部２８が設けられている。
封止部２８は、水晶振動片１０が内部端子２３ａ，２３ｂと接合され、ベース部２１の凹部２４が蓋体２２により覆われ、ベース部２１と蓋体２２とがシールリング、ろう材、低融点ガラスなどの接合部材２９で接合され、内部空間Ｓが減圧された後に内部空間Ｓを気密に封止する。
なお、減圧前の内部空間Ｓには、大気や、導電性接着剤３０などから発生するアウトガスが存在している。これらは、水晶振動片１０の正常な屈曲振動を阻害する要因となるため、減圧する（真空度の高い状態にする）ことにより外部空間（外部）へ排出し、確実に除去する必要がある。
【００３５】
封止部２８は、ベース部２１の底面２５に設けられた平面形状が円形の凹部２８ａと、凹部２８ａの底面２８ｂに設けられ、内部空間Ｓと外部空間とを連通する貫通孔２８ｃと、（換言すれば、内部空間Ｓと外部空間とを連通する貫通孔２８ｃが底面２８ｂに設けられた凹部２８ａと）凹部２８ａ内に載置され、加熱溶融されることで貫通孔２８ｃを封止する球状の封止材２８ｄと、を備えている。
【００３６】
貫通孔２８ｃは、平面視で凹部２８ａと同心円状の円形に形成され、孔径が球状の封止材２８ｄの直径よりも小さくなるように形成されている。
球状の封止材２８ｄには、Ａｕ（金）／Ｇｅ（ゲルマニウム）合金、Ａｕ（金）／Ｓｎ（錫）合金、銀ろうなどが用いられている。封止材２８ｄは、平面視で貫通孔２８ｃと重なるように載置される。
凹部２８ａの底面２８ｂには、平面視で貫通孔２８ｃの一部（ここでは、ベース部２１の短辺側を向いた２箇所）から、凹部２８ａの外周に向かって延びる有底の溝部２８ｅが設けられている。
【００３７】
これにより、図２に矢印で示すように、封止部２８は、貫通孔２８ｃに球状の封止材２８ｄが嵌まり込んだ状態でも、２箇所の有底の溝部２８ｅを介して、内部空間Ｓと外部空間とをスムーズに通気することができる。
なお、有底の溝部２８ｅの溝幅Ｗ１は、貫通孔２８ｃの直径よりも小さくなるように形成されている。これにより、封止部２８は、球状の封止材２８ｄが有底の溝部２８ｅに嵌まり込んでも、有底の溝部２８ｅと貫通孔２８ｃとの間が閉塞されることを回避できる。
【００３８】
球状の封止材２８ｄは、図示しない真空チャンバー内などで、パッケージ２０の内部空間Ｓが減圧された（真空度の高い状態にされた）後、レーザービームや電子ビームの照射により加熱溶融され、凹部２８ａ内に２点鎖線で示すように広がり、貫通孔２８ｃを気密に封止する。なお、レーザービームや電子ビームは、球状の封止材２８ｄを均一に加熱溶融させるために、照射範囲が封止材２８ｄの大きさよりも若干広い範囲となっている。例えば、封止材２８ｄの直径が０．２ｍｍ程度の場合、レーザービームや電子ビームの照射範囲（ビーム径）は、０．２５ｍｍ程度に設定される。
なお、凹部２８ａの内壁及び底面２８ｂには、加熱溶融された封止材２８ｄをスムーズに濡れ広がらせるために、Ｗ（タングステン）、Ｍｏ（モリブデン）などのメタライズ層の表面にＮｉ（ニッケル）、Ａｕ（金）などのメッキ層を積層した金属被膜（図示せず）が形成されている。
【００３９】
水晶振動子１は、外部端子２６，２７、内部端子２３ａ，２３ｂ、引き出し電極１４，１５、励振電極を経由して外部から印加される駆動信号によって、水晶振動片１０の一対の振動腕１１，１２が屈曲振動を励振されて所定の周波数（例えば、約３２ｋＨｚ）で共振（発振）し、発振信号を外部端子２６，２７から出力する。
これにより、水晶振動子１は、例えば、タイミングデバイスとして機能する。
【００４０】
上述したように、第１実施形態の水晶振動子１は、パッケージ２０が、円形の貫通孔２８ｃが設けられた凹部２８ａと、加熱溶融されることで貫通孔２８ｃを封止する球状の封止材２８ｄと、を備えている。そして、パッケージ２０の凹部２８ａの底面２８ｂには、貫通孔２８ｃの２箇所から凹部２８ａの外周に向かって延びる有底の溝部２８ｅが設けられている。
【００４１】
これにより、パッケージ２０は、球状の封止材２８ｄが貫通孔２８ｃに嵌まり込んだ場合でも、有底の溝部２８ｅを介して、パッケージ２０の内部空間Ｓと外部空間とをスムーズに通気することができる。
この結果、パッケージ２０は、内部空間Ｓの減圧をスムーズに行うことができると共に、球状の封止材２８ｄが凹部２８ａから飛び出すことを回避できる。
【００４２】
この際、パッケージ２０は、内部空間Ｓの貫通孔２８ｃ周辺部分が、平面視で、有底の溝部２８ｅを含んで遮蔽されていることから、上述した特許文献２のような問題（封止材２８ｄと貫通孔２８ｃとの隙間から、内部空間Ｓに収納されている水晶振動片１０などの素子にレーザービームや電子ビームが照射されてしまう虞）を回避できる。
加えて、パッケージ２０は、封止部２８の封止部分の構造が、円形の貫通孔２８ｃの周囲に有底の溝部２８ｅを設ける単純な構成であることから、上述した特許文献３のような問題（略角錐状の貫通孔を構成する複数の斜面の加工に工数が掛かる虞や、貫通孔のパッケージの内部空間側の先端部分が鋭利な形状となり、容易に破損する虞）を回避できる。
【００４３】
なお、パッケージ２０の封止部２８の有底の溝部２８ｅは、図３に示すような構成としてもよい。
図３は、有底の溝部のバリエーションを示す模式図である。図３（ａ）は、有底の溝部のバリエーションの一例を示す模式平面図であり、図３（ｂ）は、有底の溝部のバリエーションの他の一例を示す模式断面図であり、３（ｃ）は、有底の溝部のバリエーションの別の一例を示す模式平面図である。
【００４４】
図３（ａ）に示すように、封止部２８の有底の溝部２８ｅは、凹部２８ａの底面２８ｂに多数（ここでは、４箇所）設けられていてもよい。
これによれば、パッケージ２０は、有底の溝部２８ｅが多数（複数）設けられていることから、有底の溝部２８ｅにおける貫通孔２８ｃとの接続部分の総開口面積を、有底の溝部２８ｅが少数（ここでは、３箇所以下）の場合よりも大きくすることができる。
これにより、パッケージ２０は、内部空間Ｓと外部空間とを更にスムーズに通気することができる。なお、有底の溝部２８ｅは、内部空間Ｓと外部空間との通気に支障がなければ１箇所でもよい。
【００４５】
図３（ｂ）に示すように、封止部２８の有底の溝部２８ｅは、貫通孔２８ｃに近づくに連れて溝深さＤが徐々に深くなるように形成されていてもよい。
これによれば、パッケージ２０は、有底の溝部２８ｅが貫通孔２８ｃに近づくに連れて溝深さＤが徐々に深くなるように形成されていることから、有底の溝部２８ｅにおける貫通孔２８ｃとの接続部分の開口面積を、有底の溝部２８ｅの溝深さＤが一定の場合よりも周囲の強度を落とすことなく大きくすることができる。
これにより、パッケージ２０は、内部空間Ｓと外部空間とを更にスムーズに通気することができる。
【００４６】
図３（ｃ）に示すように、封止部２８の有底の溝部２８ｅは、貫通孔２８ｃに近づくに連れて溝幅Ｗ１が徐々に広くなるように形成されていてもよい。
これによれば、パッケージ２０は、有底の溝部２８ｅが貫通孔２８ｃに近づくに連れて溝幅Ｗ１が徐々に広くなるように形成されていることから、有底の溝部２８ｅにおける貫通孔２８ｃとの接続部分の開口面積を、有底の溝部２８ｅの溝幅Ｗ１が一定の場合よりも周囲の強度を落とすことなく大きくすることができる。
これにより、パッケージ２０は、内部空間Ｓと外部空間とを更にスムーズに通気することができる。
なお、封止部２８の有底の溝部２８ｅは、図３（ａ）、図３（ｂ）、図３（ｃ）のバリエーションを適宜組み合わせた構成としてもよい。
【００４７】
水晶振動子１は、上述したパッケージ２０の奏する効果が反映された信頼性の高い水晶振動子（振動デバイス）を提供することができる。
なお、パッケージ２０は、蓋体２２に凹部２４が設けられていてもよく、ベース部２１及び蓋体２２の両方に凹部２４が設けられていてもよい。
また、封止部２８は、ベース部２１に代えて、蓋体２２に設けられていてもよい。
なお、水晶振動片１０は、基部１３に支持腕を備え、支持腕に引き出し電極１４，１５が設けられていてもよい。
【００４８】
（第２実施形態）
次に、第１実施形態の水晶振動子の構成に、水晶振動片を駆動する発振回路を更に備えた振動デバイスの一例としての水晶発振器について説明する。
図４は、第２実施形態の水晶発振器の概略構成を示す模式図である。図４（ａ）は、蓋体側から見た模式平面図であり、図４（ｂ）は、図４（ａ）のＡ−Ａ線での模式断面図であり、図４（ｃ）は、底面側から見た模式平面図である。なお、図４（ａ）では、蓋体を省略してある。
また、第１実施形態との共通部分には、同一符号を付して詳細な説明を省略し、第１実施形態と異なる部分を中心に説明する。
【００４９】
図４に示すように、第２実施形態の水晶発振器５は、上記第１実施形態で述べた水晶振動子１に、水晶振動片１０を駆動する（発振させる）発振回路としてのＩＣチップ４０を、更に備えた構成となっている。
【００５０】
水晶発振器５のベース部２１の凹部２４の底面２４ａには、ＩＣチップ４０を収納する凹部２４ｂが設けられている。凹部２４ｂの底面２４ｃには、複数の内部接続端子２４ｄが設けられている。
発振回路を内蔵するＩＣチップ４０は、ベース部２１の凹部２４ｂの底面２４ｃに、図示しない接着剤などを用いて固定されている。
ＩＣチップ４０は、図示しない接続パッドが、Ａｕ（金）、Ａｌ（アルミニウム）などの金属ワイヤー４１により内部接続端子２４ｄと接続されている。
【００５１】
内部接続端子２４ｄは、内部端子２３ａ，２３ｂと同様に、Ｗ（タングステン）、Ｍｏ（モリブデン）などのメタライズ層の表面にＮｉ（ニッケル）、Ａｕ（金）などの各被膜をメッキ法などにより積層した金属被膜からなり、図示しない内部配線を経由して、パッケージ２０の底面２５の４隅に設けられた外部端子２６ａ，２６ｂ，２７ａ，２７ｂ、内部端子２３ａ，２３ｂなどと電気的に接続されている。
なお、ＩＣチップ４０の接続パッドと内部接続端子２４ｄとの接続には、金属ワイヤー４１を用いたワイヤーボンディングによる接続方法以外に、ＩＣチップ４０を反転させてのフリップチップ実装による接続方法などを用いてもよい。
【００５２】
水晶発振器５は、ＩＣチップ４０から内部接続端子２４ｄ、内部端子２３ａ，２３ｂ、を経由して励振電極に印加される駆動信号によって、水晶振動片１０の一対の振動腕１１，１２が屈曲振動を励振されて所定の周波数（例えば、約３２ｋＨｚ）で共振（発振）する。そして、水晶発振器５は、この発振に伴って生じる発振信号を、ＩＣチップ４０、内部接続端子２４ｄなどを経由して、例えば、外部端子２６ａ，２７ｂから外部に出力する。これにより、水晶発振器５は、例えば、発振回路を備えたタイミングデバイスとして機能する。
【００５３】
上述したように、第２実施形態の水晶発振器５は、第１実施形態の水晶振動子１に水晶振動片１０を駆動する（発振させる）発振回路としてのＩＣチップ４０を、更に備えた構成となっていることから、第１実施形態に記載の効果が反映された信頼性の高い水晶発振器（振動デバイス）を提供することができる。
なお、水晶発振器５は、ＩＣチップ４０をパッケージ２０に内蔵ではなく、外付けした構成のモジュール構造（例えば、１つの基板上に水晶振動子及びＩＣチップが個別に搭載されている構造）としてもよい。
【００５４】
なお、水晶発振器５は、例えば、ＩＣチップ４０が、パッケージ２０の凹部２４の底面２４ａにおける水晶振動片１０を避けた場所に固定され、封止部２８が蓋体２２に設けられるような場合には、貫通孔２８ｃが、内部空間Ｓに配置されたワイヤー状配線としての金属ワイヤー４１と、平面視で重ならないように配置されていることが好ましい。
これによれば、水晶発振器５は、金属ワイヤー４１が、貫通孔２８ｃから離れた位置に配置されていることから、パッケージ２０の内部空間Ｓを真空引きにより減圧する際に、吸引による金属ワイヤー４１の接続部（ＩＣチップ４０の接続パッド及び内部接続端子２４ｄ）からの分離を回避できる。
【００５５】
（第３実施形態）
次に、上述した水晶振動子、水晶発振器などの振動デバイスを備えた電子機器として、携帯電話を一例に挙げて説明する。
図５は、第３実施形態の携帯電話を示す模式斜視図である。
携帯電話７００は、上述した水晶振動子１または水晶発振器５を備えた携帯電話である。
図５に示す携帯電話７００は、上述した水晶振動子１または水晶発振器５を、例えば、基準クロック発振源などのタイミングデバイスとして用い、更に液晶表示装置７０１、複数の操作ボタン７０２、受話口７０３、及び送話口７０４を備えて構成されている。なお、携帯電話７００の形態は、図示のタイプに限定されるものではなく、いわゆるスマートフォンタイプでもよい。
【００５６】
上述した水晶振動子１、水晶発振器５などの振動デバイスは、上記携帯電話７００のような携帯電話に限らず、電子ブック、パーソナルコンピューター、テレビ、デジタルスチールカメラ、ビデオカメラ、ビデオレコーダー、ナビゲーション装置、ページャー、電子手帳、電卓、ワードプロセッサー、ワークステーション、テレビ電話、ＰＯＳ端末、タッチパネルを備えた機器などのタイミングデバイスとして好適に用いることができる。そして、振動デバイスは、いずれの場合にも上記各実施形態で説明した効果が反映された信頼性の高い電子機器を提供することができる。
【００５７】
なお、振動片は、音叉型水晶振動片に限定されるものではなく、ＡＴカット型水晶振動片やＳＡＷ（弾性表面波）振動片などであってもよい。
また、振動片の材料としては、水晶に限定されるものではなく、タンタル酸リチウム（ＬｉＴａＯ3）、四ホウ酸リチウム（Ｌｉ2Ｂ4Ｏ7）、ニオブ酸リチウム（ＬｉＮｂＯ3）、チタン酸ジルコン酸鉛（ＰＺＴ）、酸化亜鉛（ＺｎＯ）、窒化アルミニウム（ＡｌＮ）などの圧電体、またはシリコン（Ｓｉ）などの半導体でもよい。
また、振動片の駆動方法は、圧電体の圧電効果によるものの他に、クーロン力による静電駆動であってもよい。
【符号の説明】
【００５８】
１…振動デバイスとしての水晶振動子、５…振動デバイスとしての水晶発振器、１０…振動片としての水晶振動片、１１，１２…振動腕、１３…基部、１４，１５…引き出し電極、１６，１７…主面、２０…パッケージ、２１…ベース部、２２…蓋体、２３ａ，２３ｂ…内部端子、２４…凹部、２４ａ…底面、２４ｂ…凹部、２４ｃ…底面、２４ｄ…内部接続端子、２５…底面、２６，２６ａ，２６ｂ，２７，２７ａ，２７ｂ…外部端子、２８…封止部、２８ａ…凹部、２８ｂ…底面、２８ｃ…貫通孔、２８ｄ…封止材、２８ｅ…有底の溝部、２９…接合部材、３０…導電性接着剤、４０…発振回路としてのＩＣチップ、４１…ワイヤー状配線としての金属ワイヤー、７００…携帯電話、７０１…液晶表示装置、７０２…操作ボタン、７０３…受話口、７０４…送話口、Ｓ…内部空間。
【図１】
2013153038.tif 000003
【図２】
2013153038.tif 000004
【図３】
2013153038.tif 000005
【図４】
2013153038.tif 000006
【図５】
2013153038.tif 000007